(57)【要約】      （修正有）【課題】甲の部分のみならず指の付け根の周囲、すなわち足囲の部分についても調整可能とし、足囲に差が出やすい年齢層の足であっても確実にフィットさせることができる運動靴を提供する。【解決手段】運動靴１００は、左右の甲片部１１Ａ、１１１Ｂのトゥ１０側から足入れ部１１側に向けて靴紐を通すためのシューホール（又は鳩目）１６Ａ、１６Ｂを複数形成した運動靴１００であり、トゥ１０側の少なくとも一部のシューホール１６Ａ、１６Ｂに靴紐を挟持するスリット又はクリップを設けることにより靴紐のグリップ力を高め、靴紐グリップ機能付きシューホールよりトゥ側の締め付け具合（テンション）と、当該シューホールより足首側の締め付け具合（テンション）とを、一本の靴紐でできるようにした。【選択図】図１
0003229122.tif 000002
【実用新案登録請求の範囲】
【請求項１】
左右の甲片部のトゥ側から足入れ部側に向けて靴紐を通すためのシューホール（又は鳩目）を複数形成した運動靴において、
トゥ側の少なくとも一部のシューホールに靴紐グリップ機能を付加することにより、トゥの部分を使用者の足囲の部分にフィットさせるための調節と、脱ぎ履きの際に左右の甲片部の間隙を拡縮するための調節とを、一本の靴紐でできるようにした
ことを特徴とする運動靴。
【請求項２】
請求項１に記載の運動靴において、
前記靴紐グリップ機能付きのシューホールはゴム部材で形成されていることを特徴とする運動靴。
【請求項３】
請求項２に記載の運動靴において、
前記靴紐グリップ機能付きのシューホールには、互いに連結された円形孔及びスリットが形成されており、
前記靴紐をスリットへ通した場合に靴紐グリップ機能を発揮し、前記靴紐を円形孔へ通した場合に靴紐グリップ機能を発揮しない又は靴紐グリップ力が弱まるようにした
ことを特徴とする運動靴。
【請求項４】
請求項１に記載の運動靴において、
トゥ側の少なくとも一部のシューホールは、巾方向に並ぶ２つの円形孔であり、
前記靴紐を２つの円形孔へくぐらせた場合に靴紐グリップ機能を発揮し、前記靴紐を一方の円形孔へ通した場合に靴紐グリップ機能を発揮しない又は靴紐グリップ力が弱まるようにした、
ことを特徴とする運動靴。
【考案の詳細な説明】
【技術分野】
【０００１】
本考案は、靴紐タイプの運動靴に関し、さらに詳しくは、使用者が履いたときに指の付け根の上部付近に位置するトゥの部分の締め付け具合の調整を可能とし、それによって足囲をぴたりとフィットさせることができる運動靴に関する。
【背景技術】
【０００２】
靴や運動靴（スニーカとも言う）等は、一般に、甲の部分に靴紐や面ファスナーを取り付け、この靴紐や面ファスナーによって甲の部分を締め付けて靴を足にフィットさせるようになっている。靴が足にぴったりとフィットしていないと、靴擦れはもちろん、足の指の爪を傷めたり、外反母趾等の深刻な障害を発生させる等の様々なトラブルを生じさせる。特に、成長期の児童や生徒が履く上履きや運動靴の場合には、足に合った靴を選ぶことは極めて重要である。ある調査によれば、中学生の５７％、高校生の７４％が、何らかの靴による足のトラブルを経験していることが報告されている。
従来、足にフィットする靴としては、舌片（タン）に沿ってバンプの開き部に袋体を設け、この袋体に泡樹脂材を注入し、舌片の内側と足の甲の上面との間が袋体で埋まるようにした運動靴（例えば、特許文献１参照）が知られている。
【０００３】
また、舌片の部分を左右から締め付けられるように１又は複数の面ファスナーをアッパー部の左右に対を成すように設け、その固定側の面ファスナーの一端が舌片を越えるように延伸させることにより、足の甲周りの調整を可能にした甲バンド付き靴も知られている（例えば、特許文献２等を参照）。
【先行技術文献】
【特許文献】
【０００４】
【特許文献１】特開平１１−７５９０８号公報
【特許文献２】実用新案登録第３０４９２１２号公報
【考案の概要】
【考案が解決しようとする課題】
【０００５】
しかし、足形は個人ごとにそれぞれ異なるのに対し、靴は足長等に応じて段階的に標準化されているため、甲部の締め付けを調節するだけでは足に合うサイズの靴選びが難しい場合がある。特に、児童用や生徒用の場合、足囲対足長の関係の分布にバラツキが大きいため、足長に合わせて靴を選んでも足囲がフィットせずに靴の中で指が容易に動く状態となってしまうことがある。このような状態で靴を履いていると上述したような足の障害を発生させやすくなるので好ましくない。しかしながら、従来の運動靴ではアッパーの部分のみでしか調整を行っていなかったので足囲の部分を含めて靴を完全に足にフィットさせることは困難であった。
【０００６】
一方、引用文献１及び２の場合には調整が面倒であると共に、靴の価格も高いものになりがちであるという問題がある。
【０００７】
従って、本考案の目的は、甲の部分のみならず指の付け根の周囲、すなわち足囲の部分についても調整可能とすることにより、足囲に差が出やすい年齢層の足にであっても確実にフィットさせることができるような運動靴を提供することにある。
【課題を解決するための手段】
【０００８】
上記目的を達成するため、請求項１に記載の本考案は、左右の甲片部のトゥ側から足入れ部側に向けて靴紐を通すためのシューホール（又は鳩目）を複数形成した運動靴において、トゥ側の少なくとも一部のシューホールに靴紐グリップ機能を付加することにより、トゥの部分を使用者の足囲の部分にフィットさせるための調節と、脱ぎ履きの際に左右の甲片部の間隙を拡縮するための調節とを、一本の靴紐でできるようにしたことを特徴とする運動靴を提供する。
【０００９】
上記目的を達成するため、請求項２に記載の本考案は、請求項１に記載の運動靴において、前記靴紐グリップ機能付きのシューホールはゴム部材で形成されていることを特徴とする。
【００１０】
上記目的を達成するため、請求項３に記載の本考案は、請求項２に記載の運動靴において、前記靴紐グリップ機能付きのシューホールには、互いに連結された円形孔及びスリットが形成されており、前記靴紐をスリットへ通した場合に靴紐グリップ機能を発揮し、前記靴紐を円形孔へ通した場合に靴紐グリップ機能を発揮しない又は靴紐グリップ力が弱まるようにしたことを特徴とする。
【００１１】
上記目的を達成するため、請求項４に記載の本考案は、請求項１に記載の運動靴において、トゥ側の少なくとも一部のシューホールは、巾方向に並ぶ２つの円形孔であり、前記靴紐を２つの円形孔へくぐらせた場合に靴紐グリップ機能を発揮し、前記靴紐を一方の円形孔へ通した場合に靴紐グリップ機能を発揮しない又は靴紐グリップ力が弱まるようにしたことを特徴とする。
【考案の効果】
【００１２】
本考案に係る運動靴によれば、トゥ側の少なくとも一部のシューホールに靴紐グリップ機能を付加することにより、トゥの部分を使用者の足囲の部分にフィットさせるための調節と、脱ぎ履きの際に左右の甲片部の間隙を拡縮するための調節とを、一本の靴紐でできるようにした。したがって、足囲に差が出やすい年齢層である児童や生徒或いは学生などの使用者の足に対して確実にフィットさせることができるという効果がある。その結果、靴による足に対するダメージを与えることがなく、しかも運動しやすく履きやすい靴を提供することができるという効果がある。
【図面の簡単な説明】
【００１３】
【図１】本考案に係る運動靴の一実施形態の平面図である。
【図２】図１の運動靴の斜視図である。
【図３】図２に示す運動靴において、靴紐グリップ機能付きのシューホールの周辺の拡大図である。
【図４】靴紐グリップ機能付きのシューホールの変形例を説明する図である。
【考案を実施するための形態】
【００１４】
［運動靴の構成］
図１は、本考案に係る運動靴の一実施形態の平面図、図２は図１の運動靴の斜視図である。図示された運動靴１００は概略として、アッパー（UPPER）１が、接着剤等によって靴底２に接着されて形成された構造となっている。なお、靴の形状は左足用と右足用とで左右対象であり、それ以外に大きな違いはないので、図１及び図２においては左足用を図示し、右足用の図示を省略している。
【００１５】
靴底２は、使用素材及び厚みを吟味して足指部分の曲げを容易に行うことが出来るように作られており、例えば、ゴム製のアウトソール（本底）、このアウトソール上に設けられたフィラー（中物）、最上面のインソール（中底）等からなる多層構造（図示せず）とされ、接地の際の衝撃を効果的に吸収するようになっている。
【００１６】
一方、アッパー１は、脱ぎ履きするために開口された足入れ部１１と、足の指の部分を覆うトゥ（TOE）１０と、トゥ１０と一体に形成されたタン（tongue）１２と、足の甲の部分を覆うと共に上部を左右に切開するようにして形成された左右の甲片部１１１Ａ，１１１Ｂと、足の踵を覆うヒール（HEEL）１３と、左右の甲片部１１１Ａ，１１１Ｂに掛け渡される靴紐１４とを備えて構成されている。
【００１７】
ここで、左の甲片部１１１Ａには、トゥ１０側から足入れ部１１側に向けて靴紐１４を通すための複数のシューホール（又は鳩目）１６Ａ，１６Ａ，…が形成されている。同様に、右の甲片部１１１Ｂにも、トゥ１０側から足入れ部１１側に向けて靴紐１４を通すための複数のシューホール（又は鳩目）１６Ｂ，１６Ｂ，…が設けられている。そして、靴紐１４は、左右のシューホール１６Ａ，１６Ｂへ交互に通されており、足入れ部１１の側で靴紐１４の両端が結ばれている。
【００１８】
なお、トゥ１０は、タン１２と一体に形成されると共に、トゥ１０の先端は運動靴１００の先端（つま先）近傍まで至る長さに形成されている。そして、トゥ１０の部分は調整量を確保するために幅広に形成され、可撓性が付与されている。これによって、足囲の調整（後述するフィッティング）を可能としている。
【００１９】
アッパー１は、例えば、キャンバス、コーデュロイ、デニムやメッシュ素材等の柔軟性及び可撓性を備えた素材や、本革、合成皮革等の比較的しっかりした素材を適宜組み合わせて形成することができる。例えば、骨組み形状であるスケルトン形状に切り抜きした合成皮革に柔軟性及び可撓性を備えたメッシュ素材を縫い付けて形成されている。なお、アッパー１には、通気・放熱のための所要数のエアホール（いずれも図示せず）等が設けられていてもよい。
【００２０】
（シューホールの構成）
本実施形態では、トゥ１０側の少なくとも一部のシューホール１６Ａ，１６Ｂには、靴紐１４を挟持する機能（靴紐グリップ機能）が付加されている。ここではトゥ１０側から数えて２番目に位置する左右のシューホール１６Ａ，１６Ｂに靴紐グリップ機能が付加されているものとする。この位置は、使用者が履いたときに指の付け根の上部付近に相当する。これによって、運動靴１００のトゥ１０の部分を使用者の足囲の部分にフィットさせるための調節と、脱ぎ履きの際に左右の甲片部１１１Ａ，１１１Ｂの間隙を拡縮するための調節とが一本の靴紐でできるようになる（詳細は後述）。なお、靴紐グリップ機能付きのシューホールはトゥ１０側から数えて２番目のシューホールに限定されるものではないが、使用者の足囲のフィッティングを可能とするために、使用者が履いたときに指の付け根の上部付近に位置していることが望ましい。
【００２１】
以下、靴紐グリップ機能付きの左のシューホール１６Ａの構造について説明する。靴紐グリップ機能付きの右のシューホール１６Ｂの構造は、靴紐グリップ機能付きの左のシューホール１６Ａの構造と左右対称の関係にあるので、その説明を省略する。
【００２２】
図３は、靴紐グリップ機能付きのシューホール１６Ａの周辺の拡大図である。図３に示すとおり、靴紐グリップ機能付きのシューホール１６Ａは、正面視ティアドロップ型の弾力のあるゴム部材で形成されており、互いに連結された円形孔１７及びスリット１８が左側から右側に向かって順に形成されている。
【００２３】
図３に示すとおり、使用者が靴紐１４をスリット１８の側へ通した場合、靴紐１４がスリット１８によって挟持されるので、シューホール１６Ａが靴紐グリップ機能を発揮する。一方、靴紐１４を円形孔１７へ通した場合（不図示）、靴紐１４はスリット１８によって挟持されないので、シューホール１６Ａは靴紐グリップ機能を発揮しない（グリップ力が弱まる）。
【００２４】
なお、本実施形態では、靴紐１４を円形孔１７へ通した場合に、グリップ力が完全にゼロとなっている必要はなく、靴紐１４が円形孔１７内を容易にスライドできる程度にグリップ力が低くなっていればよい。靴紐１４を円形孔１７へ通した場合のグリップ力は、例えば、靴紐グリップ機能を有しない他のシューホールと同程度のグリップ力（一定の力で靴紐１４を引っ張ればスムーズに引き抜くことができる程度）である。
【００２５】
［最初の履き方］
（Ａ１）最初に、使用者は、靴紐グリップ機能付きのシューホール１６Ａ，１６Ｂの円形孔１７の側へ靴紐１４を通すことにより、靴紐グリップ機能が発揮しない状態とする。
（Ａ２）この状態で、使用者は、靴紐１４を全体的に弛め、足入れ部１１から運動靴１００へ足を入れる。
（Ａ３）次に、使用者は、つま先を上げ、複数回にわたって踵を床に軽く突くようにして、踵の位置をヒール１３に合わせる。
（Ａ４）次に、使用者は、靴紐グリップ機能付きのシューホール１６Ａ，１６Ｂのスリット１８（図３）の側へ靴紐１４を通して靴紐グリップ機能を発揮させつつ、靴紐１４を締めつけることにより、トゥ１０の部分を自分の足囲の部分へ適正な締め付け具合でフィットさせる。なお、この手順（Ａ４）は、運動靴１００の販売店のフィッターや専門家に依頼してもよい。
（Ａ５）その後、足入れ部１１の側に向けて順に靴紐１４を締め付けていき、適当な強度で均等に自分の足の甲の部分が締め付けられるのを使用者が実感したら、靴紐１４の両端を結ぶ。
（Ａ６）次に、使用者は、運動靴１００の中で足が前後左右にずれないか、歩行して確認する。もしも歩行中に足がずれる場合には、手順（Ａ４）又は手順（Ａ５）に戻る。
【００２６】
［脱ぎ方］
（Ｂ１）使用者は、靴紐１４の両端を解き、足入れ部１１側からトゥ１０側に向けて順に靴紐１４を弛めていく。なお、このときには、靴紐グリップ機能付きのシューホール１６Ａ，１６Ｂの部分は靴紐１４を弛めずに、スリット１８の側へ靴紐１４を通した状態を維持してもよい。この場合、トゥ１０の部分の足囲のサイズが適正なまま維持されることになる。
（Ｂ２）次に、使用者は、足入れ部１１から足を外へ出す。
【００２７】
［２回目以降の履き方］
（Ｃ１）先ず、使用者は、足入れ部１１から運動靴１００へ足を入れる。
（Ｃ２）次に、使用者は、つま先を上げ、複数回にわたって踵を床に軽く突くようにして、踵の位置をヒール１３に合わせる。なお、靴紐グリップ機能付きのシューホール１６Ａ，１６Ｂのスリット１８の側へ靴紐１４を通した状態が維持されていれば、トゥ１０の部分が使用者の足囲の部分にフィットした状態をすぐに再現できる。
（Ｃ３）もしもトゥ１０の部分が使用者の足囲の部分にフィットしていない場合には、上述した手順（Ａ４）を改めて行う。
（Ｃ４）次に、使用者は、靴紐グリップ機能付きのシューホール１６Ａ，１６Ｂの側から足入れ部１１側に向けて順に靴紐１４を締めつけていく。その後、適当な強度で均等に甲の部分が締め付けられるのを使用者が実感したら、靴紐１４の両端を結ぶ。
（Ｃ５）次に、使用者は、運動靴１００の中で足が前後左右にずれないか、歩行して確認する。もしも歩行中に足がずれる場合には、手順（Ｃ３）又は手順（Ｃ４）に戻る。
【００２８】
［本実施形態の効果］
以上説明したとおり、本考案の実施形態によれば、トゥ１０側の少なくとも一部のシューホール１６Ａ，１６Ｂに靴紐グリップ機能を付加することにより、トゥ１０の部分を使用者の足囲の部分にフィットさせるための調節と、脱ぎ履きの際に左右の甲片部１１１Ａ，１１１Ｂの間隙を拡縮するための調節とを、一本の靴紐１４でできるようにした。したがって、足囲に差が出やすい年齢層である児童や生徒或いは学生などの使用者の足に対して確実にフィットさせることができるという効果がある。その結果、靴による足に対するダメージを与えることがなく、しかも運動しやすく履きやすい靴を提供することができる。
【００２９】
［第１の変形例］
なお、上述した実施形態では、靴紐グリップ機能付きのシューホール１６Ａ，１６Ｂの各々をゴム部材で構成したが、例えば図４に示すとおり、巾方向に並ぶ２つの円形孔１９，１９で構成してもよい。これら円形孔１９，１９の各々は、靴紐グリップ機能を有しないシューホールと同程度のグリップ力しか有しないが、両方の円形孔１９，１９へ靴紐１４をくぐらせることで、高いグリップ力を発揮する。なお、２つの円形孔１９，１９の一方にしか靴紐１４をくぐらせない場合は、靴紐グリップ力が他のシューホールのグリップ力と同程度にまで弱まる。このような変形例によると、上述した実施形態とは異なり、靴紐１４の全体を通し直さない限りは靴紐グリップ機能付きのシューホール１６Ａ，１６Ｂのグリップ力を切り替えることはできないものの、ゴム部材を要しない分だけ上述した実施形態よりも運動靴１００の製造コストが抑えられる。
【００３０】
［第２の変形例］
また、上述した実施形態では、特定のシューホールの構造を工夫することによって靴紐グリップ機能を付与したが、特定のシューホールを通した靴紐へ金属製又は樹脂製のクリップ（ベルトの美錠（バックル））を装着することにより、同様の機能を付与してもよい。
【００３１】
［第３の変形例］
また、上述した実施形態では、特定のシューホールの構造を工夫することで靴紐グリップ機能を付与したが、特定のシューホールの形状を、他のシューホールの形状よりも摩擦の大きな形状にすることによって同様の機能を付与してもよい。例えば、靴紐グリップ機能を付与すべき特定のシューホールの形状を星形とし、他のシューホールの形状を円形としてもよい。
【００３２】
［第４の変形例］
また、上記説明においては、運動靴を対象にしたが、特定用途の靴、例えば、軽登山靴、ウォーキングシューズ等に本考案を適用することももちろん可能である。また、児童や生徒或いは学生だけでなく大人用の靴に適用することも可能である。
【符号の説明】
【００３３】
１      アッパー
２        靴底
１０      トゥ
１１      足入れ部
１３      ヒール
１４      靴紐
１６Ａ    左のシューホール
１６Ｂ    右のシューホール
１７      円孔
１８      スリット
１９      円孔
【図１】
0003229122.tif 000003
【図２】
0003229122.tif 000004
【図３】
0003229122.tif 000005
【図４】
0003229122.tif 000006
【手続補正書】
【提出日】令和2年7月7日(2020.7.7)
【手続補正１】
【補正対象書類名】実用新案登録請求の範囲
【補正対象項目名】全文
【補正方法】変更
【補正の内容】
【実用新案登録請求の範囲】
【請求項１】
左右の甲片部のトゥ側から足入れ部側に向けて靴紐を通すためのシューホール（又は鳩目）を複数形成した運動靴において、
一部のシューホールを、前記靴紐を挟持可能な形状若しくは構造又は前記靴紐に対する摩擦力が大きくなる材質若しくは形状とすることによって靴紐グリップ機能を付加し、当該靴紐グリップ機能付きのシューホールよりトゥ側の締め付け具合（テンション）と、当該シューホールより足首側の締め付け具合（テンション）とを一本の靴紐で別々に調節できるようにした
ことを特徴とする運動靴。
【請求項２】
請求項１に記載の運動靴において、
前記靴紐グリップ機能付きのシューホールには、ゴム部材、複数孔、クリップ、又は鋸歯状孔が採用されていることを特徴とする運動靴。
【請求項３】
請求項１に記載の運動靴において、
前記靴紐グリップ機能付きのシューホールには、互いに連結されたゴム部材からなる円形孔及びスリットが形成されており、
前記靴紐をスリットへ通した場合に靴紐グリップ機能を発揮し、前記靴紐を円形孔へ通した場合に靴紐グリップ機能を発揮しない又は靴紐グリップ力が弱まるようにした
ことを特徴とする運動靴。
【請求項４】
請求項１に記載の運動靴において、
トゥ側の少なくとも一部のシューホールは、巾方向に並ぶ２つの円形孔であり、
前記靴紐を２つの円形孔へくぐらせた場合に靴紐グリップ機能を発揮し、前記靴紐を一方の円形孔へ通した場合に靴紐グリップ機能を発揮しない又は靴紐グリップ力が弱まるようにした、
ことを特徴とする運動靴。
【手続補正２】
【補正対象書類名】明細書
【補正対象項目名】０００８
【補正方法】変更
【補正の内容】
【０００８】
上記目的を達成するため、請求項１に記載の本考案は、左右の甲片部のトゥ側から足入れ部側に向けて靴紐を通すためのシューホール（又は鳩目）を複数形成した運動靴において、一部のシューホールを、前記靴紐を挟持可能な形状若しくは構造又は前記靴紐に対する摩擦力が大きくなる材質若しくは形状とすることによって靴紐グリップ機能を付加し、当該靴紐グリップ機能付きのシューホールよりトゥ側の締め付け具合（テンション）と、当該シューホールより足首側の締め付け具合（テンション）とを一本の靴紐で別々に調節できるようにしたことを特徴とする運動靴を提供する。
【手続補正３】
【補正対象書類名】明細書
【補正対象項目名】０００９
【補正方法】変更
【補正の内容】
【０００９】
上記目的を達成するため、請求項２に記載の本考案は、請求項１に記載の運動靴において、前記靴紐グリップ機能付きのシューホールには、ゴム部材、複数孔、クリップ、又は鋸歯状孔が採用されていることを特徴とする。
【手続補正４】
【補正対象書類名】明細書
【補正対象項目名】００１０
【補正方法】変更
【補正の内容】
【００１０】
上記目的を達成するため、請求項３に記載の本考案は、請求項１に記載の運動靴において、前記靴紐グリップ機能付きのシューホールには、互いに連結されたゴム部材からなる円形孔及びスリットが形成されており、前記靴紐をスリットへ通した場合に靴紐グリップ機能を発揮し、前記靴紐を円形孔へ通した場合に靴紐グリップ機能を発揮しない又は靴紐グリップ力が弱まるようにしたことを特徴とする。
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
左右の甲片部のトゥ側から足入れ部側に向けて靴紐を通すためのシューホール（又は鳩目）を複数形成した運動靴において、
一部のシューホールに前記靴紐を挟持するスリット又はクリップを設けることにより靴紐のグリップ力を高め、当該靴紐グリップ機能付きのシューホールよりトゥ側の締め付け具合（テンション）と、当該シューホールより足首側の締め付け具合（テンション）とを一本の靴紐で別々に調節できるようにした
ことを特徴とする運動靴。
【請求項２】
左右の甲片部のトゥ側から足入れ部側に向けて靴紐を通すためのシューホール（又は鳩目）を複数形成した運動靴において、
一部のシューホールをゴム部材、２つ孔又は星形形状とすることにより摩擦力による前記靴紐に対するグリップ力を高め、当該靴紐グリップ機能付きのシューホールよりトゥ側の締め付け具合（テンション）と、当該シューホールより足首側の締め付け具合（テンション）とを一本の靴紐で別々に調節できるようにした
ことを特徴とする運動靴。
【請求項３】
請求項１又は２に記載の運動靴において、
前記靴紐グリップ機能付きのシューホールは、ゴム部材からなる円形孔とスリットとが互いに連結されて形成されており、
前記靴紐をスリットへ通した場合に靴紐グリップ機能を発揮し、前記靴紐を円形孔へ通した場合に靴紐グリップ機能を発揮しない又は靴紐グリップ力が弱まるようにした
ことを特徴とする運動靴。
【請求項４】
請求項２に記載の運動靴において、
トゥ側の少なくとも一部のシューホールは、巾方向に並ぶ２つの円形孔であり、
前記靴紐を２つの円形孔へくぐらせた場合に靴紐グリップ機能を発揮し、前記靴紐を一方の円形孔へ通した場合に靴紐グリップ機能を発揮しない又は靴紐グリップ力が弱まるようにした、
ことを特徴とする運動靴。
【手続補正２】
【補正対象書類名】明細書
【補正対象項目名】０００８
【補正方法】変更
【補正の内容】
【０００８】
上記目的を達成するため、請求項１に記載の本考案は、左右の甲片部のトゥ側から足入れ部側に向けて靴紐を通すためのシューホール（又は鳩目）を複数形成した運動靴において、一部のシューホールに前記靴紐を挟持するスリット又はクリップを設けることにより靴紐のグリップ力を高め、当該靴紐グリップ機能付きのシューホールよりトゥ側の締め付け具合（テンション）と、当該シューホールより足首側の締め付け具合（テンション）とを一本の靴紐で別々に調節できるようにしたことを特徴とする運動靴を提供する。
【手続補正３】
【補正対象書類名】明細書
【補正対象項目名】０００９
【補正方法】変更
【補正の内容】
【０００９】
上記目的を達成するため、請求項２に記載の本考案は、左右の甲片部のトゥ側から足入れ部側に向けて靴紐を通すためのシューホール（又は鳩目）を複数形成した運動靴において、一部のシューホールをゴム部材、２つ孔又は星形形状とすることにより摩擦力による前記靴紐に対するグリップ力を高め、当該靴紐グリップ機能付きのシューホールよりトゥ側の締め付け具合（テンション）と、当該シューホールより足首側の締め付け具合（テンション）とを一本の靴紐で別々に調節できるようにしたことを特徴とする運動靴を提供する。
【手続補正４】
【補正対象書類名】明細書
【補正対象項目名】００１０
【補正方法】変更
【補正の内容】
【００１０】
上記目的を達成するため、請求項３に記載の本考案は、請求項１又は２に記載の運動靴において、前記靴紐グリップ機能付きのシューホールは、ゴム部材からなる円形孔とスリットとが互いに連結されて形成されており、前記靴紐をスリットへ通した場合に靴紐グリップ機能を発揮し、前記靴紐を円形孔へ通した場合に靴紐グリップ機能を発揮しない又は靴紐グリップ力が弱まるようにしたことを特徴とする。
【手続補正５】
【補正対象書類名】明細書
【補正対象項目名】００１１
【補正方法】変更
【補正の内容】
【００１１】
上記目的を達成するため、請求項４に記載の本考案は、請求項２に記載の運動靴において、トゥ側の少なくとも一部のシューホールは、巾方向に並ぶ２つの円形孔であり、前記靴紐を２つの円形孔へくぐらせた場合に靴紐グリップ機能を発揮し、前記靴紐を一方の円形孔へ通した場合に靴紐グリップ機能を発揮しない又は靴紐グリップ力が弱まるようにしたことを特徴とする。